(57)【要約】【課題】  浴室の隣室を広く感じさせることのできる浴室とその隣室との床の表面構造を提供する。【解決手段】  浴室１とその隣の洗面室２の床の表面には、タイル１１，１１が設けられ、それぞれのタイル１１，１１で形成された浴室１と洗面室２の目地１１ａ，１１ａが同一パターンに設定され、しかも浴室１と洗面室２は実質的に段差を設けることなく連続しているため、洗面室２内で化粧台等を利用する際に、浴室１側まで連続して広く感じることができるものとなる。【選択図】  図２
2005240311.tif 000002
【特許請求の範囲】
【請求項１】
浴室及びその隣室の床の表面に建築意匠材が設けられ、それぞれの前記建築意匠材によって形成された目地が同一パターンであることを特徴とする浴室とその隣室との床の表面構造。
【請求項２】
前記浴室の建築意匠材と前記隣室の建築意匠材とが、実質的に段差を設けることなく連続していることを特徴とする請求項１に記載の浴室とその隣室との床の表面構造。
【請求項３】
浴室と隣室との少なくとも一部の境界が透明な仕切壁で仕切られていることを特徴とする請求項１または請求項２に記載の浴室とその隣室との床の表面構造。
【請求項４】
浴室の隣室へのドアの少なくとも半分以上の面積が透明であることを特徴とする請求項１または請求項２または請求項３に記載の浴室とその隣室との床の表面構造。
【請求項５】
前記浴室の建築意匠材が耐湿性の下地材に貼り付けられていることを特徴とする請求項１または請求項２または請求項３または請求項４に記載の浴室とその隣室との床の表面構造。
【請求項６】
前記耐湿性の下地材の下方には、排水口付きの防水パンが設けられていることを特徴とする請求項５に記載の浴室とその隣室との床の表面構造。
【請求項７】
前記隣室の建築意匠材が耐湿性の下地材に貼り付けられていることを特徴とする請求項１または請求項２または請求項３または請求項４または請求項５または請求項６に記載の浴室とその隣室との床の表面構造。
【発明の詳細な説明】
【技術分野】
【０００１】
本発明は、浴室とその隣室との床の表面構造に関するものである。
【背景技術】
【０００２】
従来、特許文献１に開示されているように、浴室の隣室である洗面室内には、例えば洗面化粧台等が設けられている。
【特許文献１】特開平５−７６４６１号公報
【発明の開示】
【発明が解決しようとする課題】
【０００３】
従来においては、洗面化粧台等が置かれた浴室の隣の洗面室は狭く、洗面化粧台等を使用する際に開放感が得られないという問題点があった。
【課題を解決するための手段】
【０００４】
本発明は上記従来の問題点に鑑み案出したものであって、浴室の隣室を広く開放感のある部屋として使用できる浴室とその隣室との床の表面構造を提供するものであり、請求項１は、浴室及びその隣室の床の表面に建築意匠材が設けられ、それぞれの前記建築意匠材によって形成された目地が同一パターンであることである。
【０００５】
また請求項２は、前記浴室の建築意匠材と前記隣室の建築意匠材とが、実質的に段差を設けることなく連続していることである。
また請求項３は、浴室と隣室との少なくとも一部の境界が透明な仕切壁で仕切られていることである。
【０００６】
また請求項４は、浴室の隣室へのドアの少なくとも半分以上の面積が透明であることである。
また請求項５は、前記浴室の建築意匠材が耐湿性の下地材に貼り付けられていることである。
【０００７】
また請求項６は、前記耐湿性の下地材の下方には、排水口付きの防水パンが設けられていることである。
また請求項７は、前記隣室の建築意匠材が耐湿性の下地材に貼り付けられていることである。
【発明の効果】
【０００８】
本発明は、浴室及びその隣室の床の表面の、建築意匠材によって形成された目地が同一パターンであることにより、目地が同一パターンであるため、浴室とその隣室の床に連続性が生じて、浴室の出入口を開けておいたり、浴室の出入口が透明等である場合に、隣室で、例えば洗面化粧台等を利用する際に、部屋を広く感じて開放感が得られるものとなる。
【０００９】
また、浴室の建築意匠材と隣室の建築意匠材とが、実質的に段差を設けることなく連続していることにより、浴室と隣室の連続性が更に向上し、隣室をより広く感じることができるものとなる。
【００１０】
また、浴室と隣室との少なくとも一部の境界が透明な仕切壁で仕切られていることにより、仕切壁を通して隣室から浴室が見えるため、更に隣室を広く感じることができるものとなる。
【００１１】
また、浴室の隣室へのドアの少なくとも半分以上の面積が透明であることにより、透明のドアを通して隣室から浴室が見えるため、隣室を広く感じることができるものとなる。
【００１２】
また、浴室の建築意匠材が耐湿性の下地材に貼り付けられていることにより、下地材が耐湿性であるため、浴室内の水分により変形することがなく、従って目地が変形することがなく、良好な意匠性を維持できるものとなる。
【００１３】
また、耐湿性の下地材の下方には、排水口付きの防水パンが設けられていることにより、耐湿性の下地材の下方に水分が移動することがあっても、防水パンの排水口から良好に排水されるため、防水パンと下地材との間には水分が溜まらず、下地材の下方に移動した水分によって下地材が変形することがなく、これにより目地が変形することがなく、良好な意匠性が維持されるものとなる。
【００１４】
また、隣室の建築意匠材が耐湿性の下地材に貼り付けられていることにより、下地材が耐湿性であるため、水分により変形することがなく、目地の変形が防がれて、隣室内の良好な意匠性が維持されるものとなる。
【実施例】
【００１５】
以下、本発明の実施例を図面に基づいて説明する。
図１は、浴室とその隣室である洗面室の平面概略構成図である。
浴室１の隣には洗面室２が設けられており、両室間は仕切壁３とドア４で仕切られているが、仕切壁３は、例えば透明なガラスで構成されており、またドア４も透明なガラスで構成されている。
なお、浴室１は洗い場５と浴槽６で構成され、洗い場５のドア４側には排水溝５ａが設けられ、また浴槽６側のコーナー部には、排水口５ｂが設けられている。
また、隣の洗面室２内には、便器８と洗面化粧台７が設けられている。なお、図中１７は、浴室の洗い場５の屋外に設置されたデッキである。
【００１６】
次に、図２には、浴室１と洗面室２間の床の要部を拡大して縦断面図で示しており、図２において、浴室１の床面下部には、防水パン９が設置されており、防水パン９に凹み状に排水溝５ａが一体形成されている。
また、前記排水口５ｂも防水パン９に貫通状に形成させておくことができる。
この防水パン９の上面には、耐湿性の下地材１０が敷設されており、この下地材１０の表面に、所定間隔で目地１１ａ，１１ａを形成させて、タイル１１，１１が貼着されている。
なお、このタイル１１は、石材，樹脂製の化粧材，木質化粧材，ガラス・セメント系化粧材，石灰または石膏製の化粧材等、その他の建築意匠材で構成しても良い。
【００１７】
また、前記下地材１０は、例えば高炉スラグ等を入れたポルトランドセメントを主成分とするセメント状心板に、補強シートである網目状のメッシュシートを埋め込んで形成したものであり、網目状メッシュシートは、耐アルカリ性のガラス繊維ネットや、合成樹脂繊維ネット等で構成されたものである。
【００１８】
また、図２に示すように、浴室１と洗面室２間には、基礎１２上に土台１３が設けられ、土台１３上に根太１４，１４が設置されて、この上に洗面室２の床面を構成する合板１６が敷設されており、合板１６上には耐湿性の下地材１０が敷設されて、この下地材１０の表面に目地１１ａを形成させて、タイル１１，１１が貼着されている。
【００１９】
なお、洗面室２と浴室１の床面間には、ステンレス製の見切材１５が設けられ、この上方にドア４が開閉可能に設置されるものである。
洗面室２側の下地材１０及びタイル１１は、浴室１側の下地材及びタイルと同一種類のものが用いられており、洗面室２と浴室１の目地１１ａのパターンが同一に形成されて、浴室１と洗面室２の床面が連続した状態になるように構成されており、また、浴室１と洗面室２のタイル１１の上面は、実質的にほぼ面一状を成して形成され、より良好な目地パターンの連続性が得られるように構成されている。
【００２０】
本例では、仕切壁３及びドア４が透明のガラス製であるため、例えば洗面室２内の便器８や洗面化粧台７を使用する際に、洗面室２側から仕切壁３及びドア４を通して浴室１内が見え、しかも洗面室２と浴室１のタイルの目地パターンが同一で連続性があるため、洗面室２から浴室１に連続的に広がる空間が一つの広い部屋のように感じることができて、開放感が得られるものとなる。
【００２１】
なお、更に、洗い場５のデッキ１７側の壁に窓やドアを設けて、この窓やドアも透明なもので構成することにより、より広々とした空間を演出できるものとなる。
なお、床面にタイル１１に代えて、その他の建築意匠材を貼着する場合にも、同一目地パターンで貼設して、洗面室２と浴室１間の床の連続性を確保することができるものである。
【００２２】
なお、下地材１０は耐湿性があるため、水分によって目地１１ａのパターンが変形することが防がれ、例え水分が下地材１０の下方に移動しても、浴室１には防水パン９が設置されているため、この防水パン９の排水溝５ａと、排水口５ｂに連結した防水パン９に設けた排水口（図示せず）とから良好に水分を排出することができ、防水パン９と下地材１０との間には水分が溜まらないために、水分により下地材１０が変形することがなく、従って目地１１ａが変形することもなく、良好な意匠性が維持されるものとなる。
【００２３】
なお、タイル１１を下地材１０に貼る際に用いる接着剤が有機系接着剤であれば、有機系接着剤が防水層として機能するため、床をこの接着剤の防水層と下地材１０による層との２層で耐湿化でき、しかも、有機系接着剤により、下地材１０の継ぎ目が防水処理されるので、床の耐湿化がより良好に図れるものとなる。
【図面の簡単な説明】
【００２４】
【図１】浴室と洗面室の平面概略構成図である。
【図２】浴室と洗面室の床の要部を拡大して示す縦断面拡大構成図である。
【符号の説明】
【００２５】
１  浴室
２  洗面室（隣室）
３  仕切壁
４  ドア
５  洗い場
５ａ  排水溝
５ｂ  排水口
７  洗面化粧台
８  便器
９  防水パン
１０  下地材
１１  タイル（建築意匠材）
１１ａ  目地
【図１】
2005240311.tif 000003
【図２】
2005240311.tif 000004